(57)【要約】 【課題】  コストダウンを図るために、把手用復帰機構を構成する部品点数を削減すること。【解決手段】  扉の壁面に固定された錠箱と、この錠箱にプッシュ又はプルすることができるように軸支された把手と、この把手の内壁面の支持部に固定された把手係合突片と、この把手係合突片と連動するように錠箱内に設けられた作動部材と、この作動部材のバネ受け腕部に把手復帰用のバネ力が作用するように前記錠箱のバネ収納部に組み込まれた１又は２のバネ部材を備えた扉用プッシュプル錠。【選択図】  図４
2005120769.tif 000002
【特許請求の範囲】
【請求項１】
扉の壁面に固定された錠箱と、この錠箱にプッシュ又はプルすることができるように軸支された把手と、この把手の内壁面の支持部に固定された把手係合突片と、この把手係合突片と連動するように錠箱内に設けられた作動部材と、この作動部材のバネ受け腕部に把手復帰用のバネ力が作用するように前記錠箱のバネ収納部に組み込まれた１又は２のバネ部材を備えた扉用プッシュプル錠。
【請求項２】
請求項１に於いて、バネ部材は、作動部材４１のバネ受け腕部を挟むように上下に対設されていることを特徴とする扉用プッシュプル錠。
【請求項３】
請求項１又は請求項２に於いて、作動部材は錠箱内に横設された作動カム４２を備え、該作動カム４２は、軸用嵌合部４２ａから半径方向に突出し、かつ、錠箱内に軸支された施錠片４５を自動的に施・解錠させるカム部４２ｂと、前記軸用嵌合部４２ａにカム部に対して所要の角度を有して半径方向に延伸し、かつ、バネ収納部３６内の上下のバネ部材５１，５１の間に入り込むバネ受け腕部４２ｃとから成ることを特徴とする扉用プッシュプル錠。
【請求項４】
請求項３に於いて、施錠片４５は、作動カム４２のカム部４２ｂが摺接する湾曲状の係合面を有することを特徴とする扉用プッシュプル錠。
【請求項５】
扉の内壁面に固定された第１錠箱と、この第１錠箱にプッシュ又はプルすることができるように軸支された内側把手と、この内側把手の内壁面の支持部に固定された内側の把手係合突片と、この把手係合突片と連動するように第１錠箱内に設けられた作動部材と、作動部材に一体的に連結され、かつ、前記第１錠箱５側と扉の外壁面に固定された第２錠箱側に横架されると共に、内側把手又は第２錠箱側に軸支された外側把手の操作力によって回転する水平連動軸４４と、前記作動部材のバネ受け腕部に内外の把手復帰用のバネ力が作用するように前記第１錠箱のバネ収納部に組み込まれた１又は２のバネ部材を備えた扉用プッシュプル錠。
【請求項６】
請求項５に於いて、外側把手の内壁面の支持部にも、水平連動軸４４と直接又は間接的に係合する把手係合突片２１Ａが固定されていること特徴とする扉用プッシュプル錠。
【請求項７】
請求項５に於いて、把手係合突片は、扉１に対して直交状態になるように支持部の複数個の位置決め用突起１６間に固着されていることを特徴とする扉用プッシュプル錠。
【請求項８】
請求項５に於いて、内外の把手係合突片は、同一構成であることを特徴とする扉用プッシュプル錠。
【発明の詳細な説明】
【技術分野】
【０００１】
本発明は、扉用プッシュプル錠に関する。
【背景技術】
【０００２】
プッシュプル錠は、その施錠片の係止状態を解除する場合に、扉を基準にして扉側に把手をプッシュ（押す）、又は把手を扉から離れるようにプルする（引く）。
【０００３】
したがって、プッシュプル錠の内外の把手は、その形態如何を問わず、普通一般に扉の壁面と平行状態になるように錠ケース、把手用取付け座等に枢着される。プッシュプル錠の把手は、プッシュした場合又はプルした場合に於いて、普通一般に把手復帰機構を構成する内外のバネ部材によりそれぞれ初期位置へと自動的に戻る(特許文献１並びに特許文献２は、錠箱ではなく、把手用取付け座の中にそれぞれ内外の把手を復帰させるためのバネ部材が組み込まれている) 。
【０００４】
従来、プッシュプル錠の把手の復帰機構は、特許文献１や特許文献２で示すように、例えば錠ケース或いは扉の壁面に固定された取付け座に縦軸を設け、該縦軸に１個の付勢バネの中央部を巻着し、その一端部を取付け座の壁面に圧接し、一方、他端部を作動カムに設けた受けピンに圧接していた。
【０００５】
上記のように、例えば内側把手が１個の付勢バネのバネ力よって初期位置へと復帰する実施例の場合には、プッシュ又はプルする時に付勢バネのバネ力がそれぞれ復帰方向に作用するように、各関連部材を合理的に構成する必要があるから、把手に駆動カムを設け、一方、取付け座に駆動カムと摺接する従動カムを軸支し、前記駆動カム等のカム面に所要の押圧面を幾つか形成する必要がある。
【０００６】
また、プッシュプル錠の内外の把手は、扉の内外の壁面にそれぞれ固定された錠ケースにそれぞれ軸支する実施形態もあるが、内外の把手を自動的に復帰させる復帰機構の構成部材として、当然、内側把手用のバネ部材と外側把手用のバネ部材とがそれぞれ必要になるので、勢い部品点数が多くなる。したがって、現在、コストダウンを図るための構成が要望されている。
【特許文献１】特許公開２００３−１７６６４６号公報
【特許文献２】特許公開２００２−７０３８６号公報
【発明の開示】
【発明が解決しようとする課題】
【０００７】
本発明の第１の目的は、コストダウンを図るために、把手用復帰機構を構成する部品点数を削減し、錠箱内に合理的に組み込むこと。第２の目的は、各部品の製作や組み合わせが容易であること。第３の目的は、把手をプッシュ又はプルした場合、均しい操作感を得ることができると共に、把手が確実に復帰位置へと戻ること。第４の目的は、主要な構成部材を自由に組み合わせることができることである。
【課題を解決するための手段】
【０００８】
本発明の扉用プッシュプル錠は、扉の壁面に固定された錠箱と、この錠箱にプッシュ又はプルすることができるように軸支された把手と、この把手の内壁面の支持部に固定された把手係合突片と、この把手係合突片と連動するように錠箱内に設けられた作動部材と、この作動部材のバネ受け腕部に把手復帰用のバネ力が作用するように前記錠箱のバネ収納部に組み込まれた１又は２のバネ部材を備えたことを特徴とする。
【０００９】
また、本発明の扉用プッシュプル錠は、前記の技術的思想を前提として、扉の内壁面に固定された第１錠箱と、この第１錠箱にプッシュ又はプルすることができるように軸支された内側把手と、この内側把手の内壁面の支持部に固定された内側の把手係合突片と、この把手係合突片と連動するように第１錠箱内に設けられた作動部材と、作動部材に一体的に連結され、かつ、前記第１錠箱５側と扉の外壁面に固定された第２錠箱側に横架されると共に、内側把手又は第２錠箱側に軸支された外側把手の操作力によって回転する水平連動軸４４と、前記作動部材のバネ受け腕部に内外の把手復帰用のバネ力が作用するように前記第１錠箱のバネ収納部に組み込まれた１又は２のバネ部材を備えたことを特徴とする。
【００１０】
上記構成に於いて、バネ部材は、作動部材のバネ受け腕部を挟むように上下に対設されていることを特徴とする。
【発明の効果】
【００１１】
（１）把手用復帰機構を構成する部品点数を削減することができる。また、錠箱内に把手復帰用のバネ部材を合理的に組み込むことができる。したがって、錠箱の内部空間を有効的に活用することができる。
（２）多数の部品を組み合わせる必要がないので、主たる部品の製作や組み合わせが容易である。
（３）把手をプッシュ又はプルした場合、均しい操作感を得ることができると共に、把手が確実に復帰位置へと戻る。
（４）その他、主要な構成部材（例えば把手係合突片）を内外の把手のいずれにも使用することが出来る、把手をコンパクト化することができる等の付随的効果がある。
【発明を実施するための最良の形態】
【００１２】
以下、図１乃至図９に示す本発明を実施するための最良の形態により説明する。
【００１３】
（１）発明の実施の環境
図１は発明の実施の環境を示す概略説明図である。図１に於いて、１は水平方向に開閉する扉である。扉１は、例えば門扉であり、該門扉１の取付け端部は塀間に設けた柱等に枢着されている。もちろん、門扉は観音扉型であっても良く、また、門扉１は躯体（建物）の玄関口に設けたものであっても良い。
【００１４】
２は、本実施例では門扉１の自由端部１ａに装着したプッシュプル錠である。プッシュプル錠２は、普通一般に扉１の内外に一体的に取付けられる。３は門扉１の自由端部１ａと対向する他方の扉、柱等の対向部材である。この対向部材３には、受け具４（例えばトロヨケ，ストライク）が固定的に設けられている。５はサムターン側の第１錠箱で、この第１錠箱５には、反転式のラッチ６が設けられている。７は図示しないシリンダー側の第２錠箱である。
【００１５】
したがって、８は前記第１錠箱５に設けられた内側把手、一方、９は前記第２錠箱７に設けられた外側把手である。１０は内側把手の遊嵌合孔を介して第１錠箱５に設けられたサムターンである。以下、本発明の特定要件並びに加味的要件について順次説明するが、細部的な事項は図面及びその説明を割愛する。
【００１６】
（２）内側把手と外側把手
内側把手８と外側把手９は、基本的には同一構成（大きさ、形状、厚さ、内面側の突起状支持部や横向き凹所など）なので、ここでは図２を参照にして内側把手８の構成を説明し、外側把手９のそれには同一の符号を付して重複する説明を省略する。
【００１７】
さて、内側把手８の外観形状は、矩形状に形成されている。内側把手８は、やや厚みがある円形又は角形の板体であるが、その内壁面には横向き凹所１１が形成されている。この横向き凹所１１から門扉１或いは第１錠箱５に向かって支持部１２が突出している。換言すれば、支持部１２は、内側把手８の中央部で一端部寄りの部位に内側周端面１３から突出するように凹所１１の内壁面に連結形成されている。もちろん、支持部１２を内側把手８とは別体に形成し、固着手段を介して内側把手８の内壁面１１に固定することもできる。
【００１８】
このように内側把手８の内壁面には凹所１１の有無に関わらず、サムターン用遊嵌合孔１４を基準にして支軸用の支持部１２が突出形成されている。なお、内側把手８には、その他中央部寄りの部位に片手を差し入れることができる縦長孔等が形成されているが、発明の特定要件に関係がないので割愛する。
【００１９】
（３）内側把手の支持部
図２で示すように、支持部１２は直方体或いは立方体状のブロック形状に形成されている。支持部１２の上面には合計３個の位置決め用突起１６が所要間隔を有して形成されている。図２を基準にすると、２個の突起１６，１６は、手前側の左右縁部に突設され、他の一つ１２は内側把手８の内壁面側の中央縁部に突設されている。
【００２０】
したがって、後述の把手係合突片２１は、内側把手８或いは扉１に対して直交状態になるようにその幅広基部が前記三箇所の突起１６に位置決めされる。また支持部１２の上面の中央部には、下面に至る貫通状態の長い軸孔１７が形成されている。この長軸孔１７の左右には１対のネジ穴１８，１８が形成されている。支持部１２は第１錠箱５に形成された貫通嵌合部３０に直接又は間接的に嵌入する。
【００２１】
（４）把手係合突片  
２１は支持部１２の上面に固定されるキープレート形状の把手係合突片である。図２、図３で示すように、把手係合突片２１は、幅広基部２２と、この幅広基部２２の先端縁中央部から水平方向にバー状に延びた係合腕部２３とから成り、前記幅広基部２２の中央部には短い中心孔２４が形成され、この中心孔２４の左右に固着具２５用の取付け孔２６．２６が形成されている。
【００２２】
また前記幅広基部２２は、前述した支持部１２の上面に位置決め嵌合あるいは係合されることから、３個の位置決め用突起１６との係合関係を考慮し、その縁部には小突起や小切欠が設けられている。この把手係合突片２１の幅広基部２２が支持部１２の上面に面接触状態に嵌合すると、その中心孔２４や取付け孔２６．２６は、支持部１２の軸孔１３やネジ穴１８．１８と符合する。本実施例では、把手係合突片２１は２個の固着具２５を介して支持部１２に固着される。
【００２３】
把手係合突片２１は支持部１２に固着されると、支持部１２を介して内側把手８と一体となる。したがって、設計如何によっては、把手係合突片２１並びに支持部１２を内側把手８そのものに形成しても良い。
【００２４】
（５）軸受け補助板
軸受け補助板２８は、図５で示すように断面コ字型状（図３では端面コ字型状）に形成されている。この補助板２８は、第１錠箱５の突起部に形成された横向き嵌合凹所に嵌合する。内側把手８は、図１、図５で示すように、第１錠箱５にコ字型状軸受け補助板２８並びに縦軸２９を介して水平方向に所定量回動することができるように枢着されている。本実施例の軸受け補助板２８は、補強的な部材であるから、発明の必須要件ではない。
【００２５】
受け補助板２８は、図５で示すように支持部１２に外嵌合するが、例えば予め第１錠箱５の横向き貫通嵌合部３０の大径部内に該受け補助板２８を嵌め込み、かつ、補助板用固着具３１を介して第１錠箱５に固定した後に、該貫通嵌合部３０内に内側把手８の支持部１２が嵌挿される。
【００２６】
そこで、図３で示すように、軸受け補助板２８は、垂直板部２８ａと、この垂直板部２８ａの上下端部を対向状態に折り曲げ形成した軸受端板部２８ｂ，２８ｂとを有する。
【００２７】
ところで、前記垂直板部２８ａの上部には、把手係合突片２１の係合腕部２３用の水平案内長孔３２が形成され、この水平案内長孔３２の下方には合計２個の固着具用の貫通孔３３．３３が形成されている。また前記軸受け端板部２８ｂ，２８ｂの中央部には支軸（縦軸）２９用の軸孔３４，３４がそれぞれ形成されている。
【００２８】
（６）第１錠箱
サムターン用の第１錠箱５は、図１で示すように門扉１の内壁面に固定的に添設される。第１錠箱５は、例えば図４で示すように、錠前を構成するラッチ用の係止機構を構成する各部材を組み込むための大きな内部空間３５を有する。ここでは、図４を基準にして、符号５ａは前壁、５ｂを後壁、５ｃを上壁とするが、第１錠箱５の後壁５ｂの内壁面には、縦長状のバネ収納部３６が突出状態で設けられている。このバネ収納部３６には適宜切欠部或いは開口部３６ａが形成されている。
【００２９】
一方、第１錠箱５の前壁５ａ側には、反転ラッチ６用の支持枠３７が設けられ、該支持枠３７内にはラッチバネ等が内設されている。また、第１錠箱５には、図１で示すように内外１対の薄型支持板３８．３８が適宜ら嵌め込まれる。これらの薄型支持板３８．３８には、後述する作動部材を構成する作動カムの端部が嵌合する支持孔３９（図３参照）が形成されている。その他第１錠箱５の細部については説明を割愛する。
【００３０】
（７）作動部材
本実施例の作動部材４１は、第１錠箱５に内外の薄型支持板３８．３８を介して回動自在に支承された作動カム４２と、この作動カム４２の一端部に一体的に設けられた円形の係合板４３とから成る。
【００３１】
発明の本質部分に着目すると、作動部材４１は、後述するバネ部材のバネ力により初期位置に復帰する作動カム４２のみであっても良いが、本実施例では、本発明の技術的思想を利用した一例として、外側把手９の操作力によっても該作動カム４２が作動するように、外側把手９側の円形係合板４３Ａと協働回転する水平連動軸４４も加味されている。したがって、円形係合板４３Ａと水平連動軸４４は、外側把手用の作動部材と言える。
【００３２】
まず、内側把手の係合板４３について説明する。第１錠箱５の貫通嵌合部３０と連通する内部空間３５には、特に符号を付さないが、図１で示すように係合板４３を装着することが可能な凹所が形成されている。この凹所に係合板４３が回転自在に嵌め込まれる。
【００３３】
係合板４３は、周端部の適宜部位に軸受け補助板２８の水平案内長孔３２を貫通した把手係合突片２１の係合腕部２３が係合する被係合部（切欠）４３ａを有すると共に、中央部に嵌合突起軸４３ｂを有する。係合板４３は前述した薄型の支持板３８の一つに抑えられている。
【００３４】
次に、図３を参照にし、作動カム４２について説明する。作動カム４２は、本実施例では後述するバネ部材のバネ力を利用することにより、二つの機能を発揮している。
【００３５】
その一つは、反転ラッチ６用の施錠片４５を自動的に施・解錠させる施錠片用施・解錠機能である。そこで、作動カム４２の中心部に相当する軸用嵌合部４２ａには、半径方向に山形状に突出し、かつ、第１錠箱５内に軸支した反転ラッチ６用施錠片４５の湾曲状係合面４６と係合するカム部４２ｂが形成されている。
【００３６】
もう一つは、少なくとも内側把手８を元の状態に戻す把手用復帰機能である。そこで、前記軸用嵌合部４２ａには、山形状カム部に対して所要の角度（例えば鈍角）を有して半径方向に延伸し、かつ、バネ収納部３６内に開口部３６ａを介して入り込むバネ受け腕部４２ｃが形成されている。バネ受け腕部４２ｃの先端部は端面円形状に形成されている。この後者の把手用復帰機能が、次のバネ部材と共に本発明の本質的部分をなす。
【００３７】
（８）バネ部材
第１錠箱５のバネ収納部３６には、対向する端部が作動カム４２のバネ受け腕部４２ｃの上下の外壁面にそれぞれ圧接する上下一対のバネ部材５１，５１が縦状態に組み込まれている。
【００３８】
しかして、各バネ部材５１，５１は、本実施例では圧縮コイルバネ５２，５２と、これらの圧縮コイルバネの各一端部にそれぞれ固定され、かつ、バネ力が作動カム４２にそれぞれ均等に圧接する当て板５３，５３とから成る。したがって、バネ部材５１は作動カム４２のバネ受け腕部４２ｃを挟むように上下に１対設けられている。
【００３９】
（９）加味的要件
本発明の付加的要件は、内側把手８の作動部材（係合板４３、作動カム４２）４１に対して一体的に連動する部材である。すなわち、本実施例では、図９で示すように、作動部材４１を構成する作動カム４２の他端部の角軸孔に嵌入する角軸部４４ａを有する水平連動軸４４がサムターン側の第１錠箱５側とシリンダー４８側の第２錠箱７側に両方に横架され、かつ、内側把手８又は外側把手９の操作力によって回転すると共に、前述した上下一対のバネ部材５１，５１のバネ力が直接又は間接的に作用する水平連動軸４４が設けられている。
【００４０】
外側把手９側の円形係合板４３Ａ、把手係合突片２１Ａ、外側把手９等は、内側把手８側の円形係合板４３、把手係合突片２１、内側把手９等とそれぞれ同一構成（但し、外側把手９の支持部の位置、シリンダー用の孔等細部的事項は変わる。）なので重複する説明を省略するが、前記円形係合板４３Ａと外側把手９は、設計上一体に成形しても良い。
【００４１】
（１０）施錠片
施錠片４５は、図４で示すように、第１錠箱５の上壁５ｃの付近に後端部が枢支横軸４９に軸支されている。施錠片４５の先端部には、反転ラッチ用支持枠３７に形成した切欠部を介して反転ラッチ６の後端部に係脱可能な係合突起４５ａが形成されている。
【００４２】
本実施例の施錠片４５は、前述したように下向き湾曲状の係合面４６を有するので、内側把手８又は外側把手９の操作力によって作動カム４２が左右いずれかの方向に回転すると、施錠片４５は枢支横軸４９を支点に作動カム４２の山形カム部４２ｂに押し上げられ(摺接し)、そのロック状態が解消する。
【００４３】
一方、内側把手８又は外側把手９から手を放すと、前述したように上下一対のバネ部材５１，５１のバネ力が作動部材４２に作用するから、作動部材４２の復帰機能により、そのカム部４２ｂが施錠片４５の湾曲状係合面４６の中心部に戻ると、施錠片４５の先端部４５ａは、自重で支持枠３７内へと落ち込み、反転ラッチ６の後端部にロック状態に係合する。したがって、この実施例の場合には、施錠片４５用のバネ部材を省くことが可能となる。
【００４４】
（１１）内外の把手８、９の復帰
前述したように、内外の把手８、９の復帰は、共に上下一対のバネ部材５１，５１のバネ力を共用することにより元の位置へと自動的に戻るので、ここでは図７及び図８を参照にして「内側把手８の復帰」について説明する。外側把手９の復帰については前項（１０）に記述したとおりである。
【００４５】
図７は内側把手８を扉１側にプッシュした（押した）場合を示す。この場合内側把手８と一体の把手係合突片２１は縦軸２９を中心に水平回転（図７では時計方向Ａ）に回転する。図７で示す内側把手８仮想線は、内側把手８が初期位置（復帰位置）に位置している場合を示しているが、初期位置の場合には、左右のバネ部材５１、５１のバネ力は、作動カム４２のバネ受け腕部４２ｃに対してそれぞれ均等に作用している。したがって、内側把手８は扉１の内壁面に対して平行状態であると共に、プッシュプル錠２の反転ラッチ６は施錠片４５に係止されている。
【００４６】
さて、把手係合突片２１が図７の時計方向Ａに回転すると、作動部材４１の係合板４３は図７の反時計方向Ｂに上方のバネ部材５１のバネ力に抗して回転する。その結果、反転ラッチ６の係止状態が解除される。
【００４７】
そこで、内側把手８をプッシュしたまま扉１を開ける訳であるが、その後に該扉１を閉めて内側把手８から手を放すと、作動カム４２等は上方のバネ部材５１のバネ力により元の位置へと戻されることになるから、内側把手８は自動的に初期位置に戻る。したがって、反転ラッチ６は施錠片４５に自動的に係止される。
【００４８】
一方、図８は内側把手８を扉１の内壁面から離れるようにプルした（引いた）場合を示す。この場合前述と同様に把手係合突片２１は、上方の縦軸２９を中心に、一方、把手係合突片２１も前述したようにこれに連動して回転するから、今度は、作動部材４１の係合板４３は下方のバネ部材５１のバネ力に抗して回転する。
【００４９】
その結果、プッシュした（押した）場合と同様に反転ラッチ６の係止状態が解除される。以下、各部材の作動態様は、前述のプッシュした（押した）場合と同様なので説明を割愛する。
【実施例】
【００５０】
発明の実施の形態で示した実施例に於いて、バネ収納部３６には、作動カム４２のバネ受け腕部４２ｃを挟んで一端部がそれぞれ接する左右一対のバネ部材５１，５１を組み込んでいるが、もちろん、本発明の技術的範囲から逃げる便法としてバネ部材５１を一つにする場合も考えられる。
【００５１】
しかしながら、バネ部材５１が１つであっても、その中間部付近の巻線の間に前記バネ受け腕部４２ｃを適宜に設計変更して差込み、該バネ受け腕部４２ｃが上下何れに移動しても１つのバネ部材のバネ力が復帰方向に作用するから、本発明と同一の作用・効果を得ることができる。
【００５２】
したがって、図面に記載した発明の実施の形態は、本発明の技術的思想を解説するためのものであって、本発明の技術的範囲を限定するものではない。また把手４の形状は、平面視長板状であるが、例えば平面視波状に形成し、或いはＬ型状（レバーハンドル型）に形成しても良い。
【産業上の利用可能性】
【００５３】
本発明は、主に錠前、扉、窓枠を主とする建具等の業界で利用される。
【図面の簡単な説明】
【００５４】
図１乃至図９は本発明の最良の実施例を示す各説明図。
【図１】実施環境を平面視から示した概略断面説明図。
【図２】内側把手を斜視の状態で内壁面側から示す概略説明図（把手係合突片等も含む）。
【図３】主要部材の分解斜視図。
【図４】図１を基準にした場合に於いて、扉側から見た第１錠箱の内部構造の概略説明図。
【図５】縦断面で全体の内部構造を示した概略説明図。
【図６】図５に於いて、主要部の説明図。
【図７】内側把手を扉側にプッシュした（押した）場合の説明図。
【図８】把手を扉から離れるようにプルした（引いた）場合の説明図。
【図９】主たる部材と加味的部材の分解斜視図。
【符号の説明】
【００５５】
1…扉、１ａ…自由端部、２…プッシュプル錠、３…対向部材、４…受け具、５…第１錠箱、６…ラッチ、７…第２錠箱、８…内側把手、９…外側把手、１０…サムターン、１１…横向き凹所、１２…支持部、１３…内側周端面、１４…サムターン用遊嵌合孔、１６…位置決め用突起、２１．２１Ａ…把手係合突片、２２…幅広基部、２３…係合腕部、２４…中心孔、２８…軸受け補助板、２９…支軸（縦軸）、３０…貫通嵌合部、３５…内部空間、３６…バネ収納部、３７…支持枠、３８…薄型支持板、４１…作動部材、４２…作動カム、４２ａ…軸用嵌合部、４２ｂ…カム部、４２ｃ…バネ受け腕部、４３．４３Ａ…係合板、４４…水平連動軸、４５…施錠片、４６…係合面。
【図１】
2005120769.tif 000003
【図２】
2005120769.tif 000004
【図３】
2005120769.tif 000005
【図４】
2005120769.tif 000006
【図５】
2005120769.tif 000007
【図６】
2005120769.tif 000008
【図７】
2005120769.tif 000009
【図８】
2005120769.tif 000010
【図９】
2005120769.tif 000011